(57)【特許請求の範囲】
【請求項１】
表面視でそれぞれの境に縦に折線を入れた左葉、中央葉及び右葉とからなるＡ紙と、同じく表面視でそれぞれの境に縦に折線を入れた左葉及び右葉とからなるＢ紙とで構成されるブックタイプの圧着往復はがきであり、Ｂ紙の右葉の表面にＡ紙の右葉の裏面を完全接着し、Ｂ紙の左葉の表面にＡ紙の中央葉の裏面を疑似接着するとともに、Ａ紙の左葉を折線で中央葉の表面側に折り返して疑似接着し、かつ、左葉の反折り返し側の端部を中央葉の反折り返し側の端部に部分的に完全接着し、Ａ紙の折り返し部を分離してＡ紙の左葉と中央葉及びＢ紙の左葉をＢ紙とＡ紙の右葉に連続する三葉のブックとし、Ｂ紙の左葉の裏面を往信欄、Ａ紙の右葉の表面を返信欄としたことを特徴とするブックタイプの圧着往復はがき。
【請求項２】
完全接着として、強粘着性エマルジョン糊やホットメルト糊による接着、クローズテープ、擬似接着テープの反転接着、インキ・トナーで印刷後にこのインキ・トナーを加圧と加熱することによってブロッキングして接着する方法のいずれかが採用される請求項１のブックタイプの圧着往復はがき。
【請求項３】
Ａ紙の折り返し部の分離の態様として、少なくともＡ紙の中央葉をＢ紙の左葉よりも突出させ、ここに「郵便往復はがき」と印刷しておくとともに、予め切断線によって切断してある請求項１又は２のブックタイプの圧着往復はがき。
【請求項４】
切断線に代えてミシン目とした請求項３のブックタイプの圧着往復はがき。
【請求項５】
返信はがきの合わせ面となるＡ紙の右葉の裏面とＢ紙の右葉の表面に光の透過を防ぐ印刷を施した請求項１〜４いずれかのブックタイプの圧着往復はがき。
【請求項６】
往信欄となるＢ紙の左葉の裏面の下部を型抜きしておき、返信欄の情報記載欄となるＢ紙の右葉の裏面を隠蔽する隠蔽シールをＡ紙の中央葉の裏面に剥離ニスを塗布してＢ紙の左葉の表面に剥離可能に接着している請求項１〜５いずれかのブックタイプの圧着往復はがき。
【発明の詳細な説明】
【技術分野】
【０００１】
本発明は、ブックタイプの圧着往復はがきに関するものである。
【背景技術】
【０００２】
近年、多くの情報を載せる一方で秘匿を要する情報を隠すために、複数の紙葉を完全又は擬似接着した往復はがきが出現している。下記特許文献１にそれが示されるが、この先行例のものは、横に三枚綴りとなったＡ紙と、同じく横に二枚綴りとなったＢ紙を郵便規則に則って返信はがきとなる部分を完全接着し、情報記載部分となる残りのＡ紙の二葉及びＡ紙とＢ紙の一面をそれぞれ擬似接着している。
【０００３】
したがって、この先行例のものでは、往復はがきを受け取った者が擬似接着部分を剥がして中の情報を読み取るとき、Ａ紙では葉が二枚綴りの展開したものになるため、スペースを多く要する。このため、これを拡げるテーブル等からはみ出たり、この下にあるものを隠したりする。また、二面の擬似接着面を全面貼りとしているため、接着剤を多く要したり、加工（製本）に手間がかかったりしている。
【０００４】
そこで、下記特許文献２には、返信はがきに連なった部分が三葉となっているブックタイプの往復はがきが提案されている。しかし、この先行例のものは、一枚の紙を八葉に折っているため、折り数が多く、加工が厄介という問題がある。また、この構造が郵便規則に適合しているかという問題もある。
【特許文献１】特開平１１−３２１１５９号公報
【特許文献２】特開２０００−１５８８５６号公報
【発明の開示】
【発明が解決しようとする課題】
【０００５】
本発明は、このような課題を解決するものであり、往復はがきを開いたときに返信はがきに連続する部分がブック（本）となるようにして扱い易さと低コスト化を図るとともに、併せて多くの情報量が掲載できるようにしたものである。
【課題を解決するための手段】
【０００６】
以上の課題の下、本発明は、請求項１に記載した、表面視でそれぞれの境に縦に折線を入れた左葉、中央葉及び右葉とからなるＡ紙と、同じく表面視でそれぞれの境に縦に折線を入れた左葉及び右葉とからなるＢ紙とで構成されるブックタイプの圧着往復はがきであり、Ｂ紙の右葉の表面にＡ紙の右葉の裏面を完全接着し、Ｂ紙の左葉の表面にＡ紙の中央葉の裏面を疑似接着するとともに、Ａ紙の左葉を折線で中央葉の表面側に折り返して疑似接着し、かつ、左葉の反折り返し側の端部を中央葉の反折り返し側の端部に部分的に完全接着し、Ａ紙の折り返し部を分離してＡ紙の左葉と中央葉及びＢ紙の左葉をＢ紙とＡ紙の右葉に連続する三葉のブックとし、Ｂ紙の左葉の裏面を往信欄、Ａ紙の右葉の表面を返信欄としたことを特徴とするブックタイプの圧着往復はがきを提供したものである。
【０００７】
そして、完全接着の態様として、請求項２に記載した、強粘着性エマルジョン糊やホットメルト糊による接着、クローズテープ、擬似接着テープの反転接着、インキ・トナーで印刷後にこのインキ・トナーを加圧と加熱することによってブロッキングして接着する方法のいずれかが採用される手段を提供する。
【０００８】
さらに、請求項３に記載した、Ａ紙の折り返し部の分離の態様として、少なくともＡ紙の中央葉をＢ紙の左葉よりも突出させ、ここに「郵便往復はがき」と印刷しておくとともに、予め切断線によって切断してある手段、請求項４に記載した、切断線に代えてミシン目とした手段、請求項５に記載した、返信はがきの合わせ面となるＡ紙の右葉の裏面とＢ紙の右葉の表面に光の透過を防ぐ印刷を施した手段、請求項６に記載した、往信欄となるＢ紙の左葉の裏面の下部を型抜きしておき、返信欄の記入欄となるＢ紙の右葉の裏面を隠蔽する隠蔽シールをＡ紙の中央葉の裏面に剥離ニスを塗布してＢ紙の左葉の表面に剥離可能に接着している手段を提供する。
【発明の効果】
【０００９】
請求項１の手段により、擬似接着部分を剥がしてＡ紙の中央葉とＢ紙の左葉とを分離するとともに、Ａ紙の折り返し部を分離すると、Ａ紙とＢ紙の完全接着部分に連続してＡ紙とＢ紙が三葉のブックとなるから、拡げて見るときにスペースをとらず、また、片手でもって読むようなこともできる。さらに、請求項５の手段によると、ＯＣＲ等での光学的読取りに支障を来さないし、請求項６の手段によると、返信はがきの記入欄に記した情報を隠蔽できる。
【発明を実施するための最良の形態】
【００１０】
以下、本発明の実施の形態を図面を参照して説明するが、図１は本発明の往復はがきを構成するＡ紙の表面図、図２は同じく裏面図であるが、Ａ紙（Ａ）は、一枚の紙を間に二箇所ほぼ等間隔で縦に折線１、２を入れて三枚綴りとする。そして、表面図において、左側から左葉３、中央葉４、右葉５とする。したがって、表面図における左葉３は裏面図では右側となり、右葉５は左側となる。なお、表面図における左葉３の端側と右葉５の端側には、ミシン目を境界として加工時におけるマージナルピンが挿入される孔９を設けている。
【００１１】
図３は往復はがきを構成するもう一つのＢ紙（Ｂ）の表面図、図４は裏面図であるが、Ｂ紙（Ｂ）も、Ａ紙（Ａ）と同様にほぼ中央に折線１０を入れた二枚綴りのものである。そして、表面図における左側を左葉１１、右側を右葉１２としている。この点で、Ａ紙（Ａ）、Ｂ紙（Ｂ）とも上側を表面、下側を裏面とする。さらに、表面図における左葉１１と右葉１２の端側にマージナルピンの孔１５が設けられる点も同じである。
【００１２】
以上の往復はがきは次のようにして加工する。図５にそれを示すが、まず、Ｂ紙（Ｂ）の右葉１２の表面にＡ紙（Ａ）の右葉５の裏面を完全接着材１６で全面的に完全接着してこれを返信はがきとする。この場合の完全接着とは、剥離不能の接着態様をいうのであって、感圧、感熱型の接着剤や感熱型の接着テープ（フィルム）等の完全接着材１６を用いる。次に、Ａ紙（Ａ）の左葉３を中央葉４の表面側に折線１で折り返してその端部を中央葉４の反折り返し側の端部に完全接着材１７でもって部分的に完全接着する。
【００１３】
なお、この完全接着には、上記の方法に代えて上面に接着阻害層を設けた二層の接着テープを端からはみ出した状態で貼り、端の部分を折り返して接着阻害層をブロックし、中央葉４と左葉３の端の部分のみ接着して繋いでもよい。また、これ以外のＢ紙（Ｂ）の左葉１１の表面とＡ紙（Ａ）の中央葉４の裏面及びＡ紙（Ａ）の左葉３の表面と中央葉４の表面は擬似接着材１８で擬似接着しておく。この場合の擬似接着とは、剥離可能な接着態様をいうのであって（再接着が可能なものと不可能なものとがある）、接着阻害物質を混入した感圧、感熱型の擬似接着剤やフィルム間に擬似接着層を有する擬似接着フィルム（テープ）を用いる。
【００１４】
以上の操作により、Ａ紙（Ａ）とＢ紙（Ｂ）は、完全接着又は疑似接着されて折線１０で折曲可能な一枚の往復はがきの態様となる。なお、返信はがきの折りを確実にして体裁を上げるために、いずれかの折線２、１０をミシン目にしたり、筋押し組合せにすることがある。こうしたとしても、他方が残っているから、取扱い中に分離したりすることはない。ところで、このような往復はがきは、加工機械の送りピンをＡ紙（Ａ）とＢ紙（Ｂ）のそれぞれの孔９に挿入して移送している間に所定の折り、塗布、押圧、切断等をすることで圧着加工される。
【００１５】
この往復はがきを受け取った受取人は、Ａ紙（Ａ）の折線１の部分を切断し、中の情報を読み取る。図６はこの態様を示す往復はがきの断面図であるが、この分断をしたとき、返信はがきに連なってＡ紙（Ａ）とＢ紙（Ｂ）とが三葉のブック（本）となり、都合八面に情報が書き込まれたものになっている。そして、それぞれの面には所要の情報が印刷されている。そして、Ｂ紙（Ｂ）の左葉１１の裏面は往信はがきのあて名欄となり、Ａ紙（Ａ）の右葉５の表面は返信はがきのあて名欄で、その裏のＢ紙（Ｂ）の右葉５の裏面は返信はがきの記入欄であり、他は情報記載欄となる。
【００１６】
なお、本例のものは、折線１の部分に予め切断線２２を入れて切断したものである。すなわち、加工時に切断線２２を入れておき、出荷する段階ではここから切り離しておく（そうしたとしても、Ａ紙（Ａ）の中央葉４と左葉３とは擬似接着材１８で擬似接着されているから剥がれることはない）。受け取った人はここを開き（コーナーカット等を入れておけば便利）、中の情報を読み取る。この場合、切断線２２の位置はＢ紙（Ｂ）左葉１１よりも突出した位置に設定している。また、切断線２２に代えてミシン目でもよい。
【００１７】
以上は本発明の基本的な態様であるが、目的に応じて種々の態様をとる。まず、紙の重さ（厚み）であるが、往復はがきであるから、当然に郵便規則に適合していなければならない。これによると、全体では１２ｇ以内である必要があり、Ａ紙（Ａ）とＢ紙（Ｂ）とを共に薄い紙を使用して全体重量をこれに抑えている。また、Ａ紙（Ａ）とＢ紙（Ｂ）とが重なった返信はがきは２〜６ｇである必要があるから、薄いながらもこれに適合する重さにしている。このように、Ａ紙（Ａ）とＢ紙（Ｂ）とを異なる紙質にすることにより、例えば、ＯＣＲ面とあて名面になるＢ紙（Ｂ）は上質紙にし、情報記載欄であってカラー印刷部分が多くなるＡ紙（Ａ）はマット・コート系の用紙にする等、用途に合わせてコストと品質のバランスをとることができる。
【００１８】
また、紙面のいずれかに「郵便往復はがき」である旨を表出しておかなければならないから、上記の例におけるようにＡ紙（Ａ）の中央葉４がＢ紙（Ｂ）の左葉１１より突出した個所に印刷しておいてもよい。さらに、返信はがきを受け取った受取人はその裏面に記載された情報をＯＣＲで読み取ることるなるが、紙が薄いとこの読取りが不安定になる。そこで、向かい合うＡ紙（Ａ）の右葉５の裏面かＢ紙（Ｂ）の右葉１２の表面に絵柄やベタ・網掛け等の印刷を施しておけば、不透明度が増して読取りが確実になる。
【００１９】
この他、返信はがきの記入欄となるＢ紙（Ｂ）の右葉１２の裏面に記入された個人情報等を隠蔽する隠蔽シール１９を設けることもある。図６にこれを示しているが、Ｂ紙（Ｂ）の左葉１１の裏面で往信欄となる面の下部を型抜きしておき、Ｂ紙（Ｂ）の左葉１１の表面に型抜きした部分を覆う隠蔽シール１９を特殊変性アクリル樹脂からなる接着剤で貼っておき、これを剥がして返信欄の情報記入欄となるＢ紙（Ｂ）の右葉１２の裏面に貼り付けることが考えられる。この場合、隠蔽シールと対向するＡ紙（Ａ）の中央葉４の裏面に剥離ニス２１を塗布しておく。
【図面の簡単な説明】
【００２０】
【図１】往復はがきを構成するＡ紙の表面図である。
【図２】往復はがきを構成するＡ紙の裏面図である。
【図３】往復はがきを構成するＢ紙の表面図である。
【図４】往復はがきを構成するＢ紙の裏面図である。
【図５】Ａ紙とＢ紙を貼り合わせる状態の断面図である。
【図６】隠蔽シールを取り付ける状態の斜視図である。
【符号の説明】
【００２１】
Ａ      Ａ紙
Ｂ      Ｂ紙
１      折線
２      折線
３      Ａ紙の表面の左葉
４      Ａ紙の表面の中央葉
５      Ａ紙の表面の右葉
９      マージナルピンの孔
１０    Ｂ紙の折線
１１    Ｂ紙の表面の左葉
１２    Ｂ紙の表面の右葉
１６    完全接着材
１７    完全接着材
１８    擬似接着材
１９    隠蔽シール
２１    剥離ニス
２２    切断線
【図１】
0005024991.tif 000002
【図２】
0005024991.tif 000003
【図３】
0005024991.tif 000004
【図４】
0005024991.tif 000005
【図５】
0005024991.tif 000006
【図６】
0005024991.tif 000007